(57)【要約】【課題】セキュリティ用無線タグの電池の消耗を抑える。電池切れ（又は故障）を迅速に発見する。【解決手段】開閉連動スイッチ１Ｆは、窓またはドアが開いたときにオンになって送信回路１Ｂ，警報音発生回路１Ｅおよびマイコン１Ｃへ電池１Ｇから給電する。マイコン１Ｃは、給電されたら識別子信号を断続的（数秒に１回）に送信するように送信回路１Ｂを制御すると共に警報音を発生するように警報音発生回路１Ｅを制御する。受信機は、識別子信号を受信したら警報を出力すると共に、識別子信号を長期間受信しなかったら注意を喚起する。【効果】セキュリティ用無線タグの待機電力が０または最少限で、家屋の窓またはドアを監視できる。セキュリティ用無線タグの電池切れ（又は故障）を迅速に検出できる。【選択図】  図１
2004252790.tif 000002
【特許請求の範囲】
【請求項１】
電池と、窓またはドアが開いたときにオンになるスイッチ手段と、前記スイッチ手段を介して電池から給電され自己の識別子信号を無線で送信する識別子信号無線送信手段とを具備したことを特徴とするセキュリティ用無線タグ。
【請求項２】
請求項１に記載のセキュリティ用無線タグにおいて、前記スイッチ手段は、窓またはドアが開いた時に接点を閉じる機械的スイッチであることを特徴とするセキュリティ装置。
【請求項３】
請求項１または請求項２に記載のセキュリティ用無線タグにおいて、窓またはドアが開いた時に警報音を発する警報音出力手段を有することを特徴とするセキュリティ装置。
【請求項４】
請求項３に記載のセキュリティ用無線タグにおいて、前記警報音出力手段の動作を手動で停止させる警報音停止スイッチ手段を有することを特徴とするセキュリティ用無線タグ。
【請求項５】
請求項１から請求項４のいずれかに記載のセキュリティ用無線タグと、前記識別子信号を無線で受信すると警報を出力する受信機とを具備したことを特徴とするセキュリティ装置。
【請求項６】
請求項５に記載のセキュリティ装置において、前記受信機は、前記識別子信号を受信した時に警報音を発する警報音出力手段を具備することを特徴とするセキュリティ装置。
【請求項７】
請求項５または請求項６に記載のセキュリティ装置において、前記受信機は、受信した識別子信号に対応する識別子情報を表示する識別子情報表示手段を有することを特徴とするセキュリティ装置。
【請求項８】
請求項５から請求項７のいずれかに記載のセキュリティ装置において、前記受信機は、登録されている識別子信号で所定期間受信しない識別子信号に対応する識別子情報を報知する識別子情報報知手段を有することを特徴とするセキュリティ装置。
【請求項９】
電池と、窓またはドアが開いたときにオンになるスイッチ手段と、前記電池から給電され間欠的に自己の識別子信号を無線で送信すると共に前記スイッチ手段がオンになった時に開情報信号および自己の識別子信号を無線で送信する識別子信号無線送信手段とを具備したことを特徴とするセキュリティ用無線タグ。
【請求項１０】
請求項９に記載のセキュリティ用無線タグと、登録されている識別子信号で所定期間受信しない識別子信号に対応する識別子情報を報知する識別子情報報知手段と、前記開情報信号および識別子信号を無線で受信すると警報を出力する受信機とを具備したことを特徴とするセキュリティ装置。
【発明の詳細な説明】
【０００１】
【発明の属する技術分野】
本発明は、セキュリティ用無線タグ及びセキュリティ装置に関し、さらに詳しくは、待機電力が０または最少限で家屋の窓またはドアを監視できると共に電池切れ又は故障を迅速に検出できるセキュリティ用無線タグ、及び、そのセキュリティ用無線タグを利用したセキュリティ装置に関する。
【０００２】
【従来の技術】
従来、侵入を検知して電波を送信するワイヤレスセンサを用いて機械警備するシステムが知られている（例えば、特許文献１参照）。
他方、存在を報知するための電波を発信する機能を有し、物体や人体に付着して使用される小型・薄型の無線タグが知られている（例えば、特許文献２参照）。
【０００３】
【特許文献１】
特開２０００−９０３８１号公報
【特許文献２】
特開２００２−１６９８７９号公報
【０００４】
【発明が解決しようとする課題】
上記ワイヤレスセンサを用いて機械警備するシステムでは、異常を検知するまでの待機中でも焦電センサ等に電池から電力を供給しており、また、間欠的に電波の送信を行っているため、電池の消耗が大きい問題点がある。換言すれば、大きな電池を必要とするため、ワイヤレスセンサを小型・薄型にし難く、窓やドアに取り付け難い問題点がある。
【０００５】
他方、無線タグは、小型・薄型であり、窓やドアにも取り付け可能である。しかし、従来の無線タグは、単にその存在を知らせるために電波を送信しており、家屋の窓またはドアを監視する用途には使えない問題点がある。また、間欠的に電波の送信を行っているか、又は、外部からの送信要求の信号電波を受信する回路が常時働いており、電池の消耗が大きい問題点がある。また、電池切れ又は故障を迅速に検出できない問題点がある。
【０００６】
そこで、本発明の目的は、待機電力が０または最少限で家屋の窓またはドアを監視できると共に、電池切れ又は故障を迅速に検出できるセキュリティ用無線タグ及びそのセキュリティ用無線タグを利用したセキュリティ装置を提供することにある。
【０００７】
【課題を解決するための手段】
第１の観点では、本発明は、電池と、窓またはドアが開いたときにオンになるスイッチ手段と、前記スイッチ手段を介して電池から給電され自己の識別子信号を無線で送信する識別子信号無線送信手段とを具備したことを特徴とするセキュリティ用無線タグを提供する。
上記第１の観点によるセキュリティ用無線タグでは、窓またはドアが開くまでの待機中はスイッチ手段がオフであり、電池から給電されないため、スイッチ手段が機械的スイッチの場合は待機電力が０になり、スイッチ手段が電気的の場合はスイッチ手段のみに電池から給電すればよいため待機電力が最少限で済む。そして、窓またはドアが開いたときにスイッチ手段がオンになり、電池から給電され自己の識別子信号を無線で送信するから、家屋の窓またはドアが開いたか否かを監視することが出来る。
【０００８】
第２の観点では、本発明は、上記構成のセキュリティ用無線タグにおいて、前記スイッチ手段は、窓またはドアが開いた時に接点を閉じる機械的スイッチであることを特徴とするセキュリティ装置を提供する。
上記第２の観点によるセキュリティ用無線タグでは、スイッチ手段が機械的スイッチであるため、待機電力を０にできる。
【０００９】
第３の観点では、本発明は、上記構成のセキュリティ用無線タグにおいて、窓またはドアが開いた時に警報音を発する警報音出力手段を有することを特徴とするセキュリティ装置を提供する。
上記第３の観点によるセキュリティ用無線タグでは、侵入者を警報音で撃退できる可能性がある。
【００１０】
第４の観点では、本発明は、上記構成のセキュリティ用無線タグにおいて、前記警報音出力手段の動作を手動で停止させる警報音停止スイッチ手段を有することを特徴とするセキュリティ用無線タグを提供する。
上記第４の観点によるセキュリティ用無線タグでは、かけつけた管理者が、もはや必要のない警報音を、ただちに止めることが出来る。
【００１１】
第５の観点では、本発明は、上記構成のセキュリティ用無線タグと、前記識別子信号を無線で受信すると警報を出力する受信機とを具備したことを特徴とするセキュリティ装置を提供する。
上記第５の観点によるセキュリティ装置では、上記観点によるセキュリティ用無線タグを利用するため、セキュリティ用無線タグの待機電力を０または最少限に出来る。そして、窓またはドアが開いたときにセキュリティ用無線タグからの識別子信号を受信機が無線で受信して警報を出力するから、家屋の窓またはドアが開いたか否かを監視することが出来る。
【００１２】
第６の観点では、本発明は、上記構成のセキュリティ装置において、前記受信機は、前記識別子信号を受信した時に警報音を発する警報音出力手段を具備することを特徴とするセキュリティ装置を提供する。
上記第６の観点によるセキュリティ装置では、窓またはドアが開いたことを管理者が警報音で知ることが出来る。
【００１３】
第７の観点では、本発明は、上記構成のセキュリティ装置において、前記受信機は、受信した識別子信号に対応する識別子情報を表示する識別子情報表示手段を有することを特徴とするセキュリティ装置を提供する。
上記第７の観点によるセキュリティ装置では、表示された識別子情報により、窓またはドアが開いた場所を管理者が知ることが出来る。
なお、識別子情報表示手段は、例えば受信した識別子信号に対応する窓またはドアの場所を表示するＬＥＤや液晶表示器である。
【００１４】
第８の観点では、本発明は、上記構成のセキュリティ装置において、前記受信機は、登録されている識別子情報で所定期間受信しない識別子信号に対応する識別子情報を報知する識別子情報報知手段を有することを特徴とするセキュリティ装置を提供する。
上記第８の観点によるセキュリティ装置では、管理者が登録したか又は受信履歴により自動的に登録した識別子情報のうちで、例えば１週間の間、一度も識別子情報を受信しないものがあれば、セキュリティ用無線タグの電池切れ又は故障の可能性があるため、当該識別子情報を報知する。これにより、セキュリティ用無線タグの電池切れ又は故障を迅速に検出できる。
【００１５】
第９の観点では、本発明は、電池と、窓またはドアが開いたときにオンになるスイッチ手段と、前記電池から給電され間欠的に自己の識別子信号を無線で送信すると共に前記スイッチ手段がオンになった時に開情報信号および自己の識別子信号を無線で送信する識別子信号無線送信手段とを具備したことを特徴とするセキュリティ用無線タグを提供する。
上記第９の観点によるセキュリティ用無線タグでは、間欠的に自己の識別子信号を無線で送信するため、所定時間に一度はセキュリティ用無線タグの識別子信号を受信できるはずである。換言すれば、所定時間に一度もセキュリティ用無線タグの識別子信号を受信できなければ、セキュリティ用無線タグの電池切れ又は故障の可能性がある。これにより、セキュリティ用無線タグの電池切れ又は故障を迅速に検出できる。
【００１６】
第１０の観点では、本発明は、上記構成のセキュリティ用無線タグと、登録されている識別子信号で所定期間受信しない識別子信号に対応する識別子情報を報知する識別子情報報知手段と、前記開情報信号および識別子信号を無線で受信すると警報を出力する受信機とを具備したことを特徴とするセキュリティ装置を提供する。
上記第１０の観点によるセキュリティ装置では、管理者が登録したか又は受信履歴により自動的に登録した識別子情報のうちで、例えば３０分の間、一度も識別子情報を受信しないものがあれば、セキュリティ用無線タグの電池切れ又は故障の可能性があるため、当該識別子情報を報知する。これにより、セキュリティ用無線タグの電池切れ又は故障を迅速に検出できる。
【００１７】
【発明の実施の形態】
以下、図に示す実施の形態により本発明をさらに詳細に説明する。なお、これにより本発明が限定されるものではない。
【００１８】
−第１の実施形態−
図１は、第１の実施形態にかかるセキュリティ用無線タグ１０を示す構成図である。
このセキュリティ用無線タグ１０は、電池１Ｇと、送信用のアンテナ１Ａと、電波を発信する送信回路１Ｂと、警報音を発生する警報音発生回路１Ｅと、給電されたら識別子信号を断続的（数秒に１回）に送信するように送信回路１Ｂを制御すると共に警報音を発生するように警報音発生回路１Ｅを制御するマイコン（マイクロコンピュータ）１Ｃと、警報音発生回路１Ｅへの給電を手動で停止するための警報音停止スイッチ１Ｄと、窓またはドアが開いたときにオンになって送信回路１Ｂ，警報音発生回路１Ｅおよびマイコン１Ｃへ電池１Ｇから給電する開閉連動スイッチ１Ｆとを具備して構成されている。
【００１９】
開閉連動スイッチ１Ｆは、窓またはドアが開いたときにバネで接点が閉じる機械的スイッチや、窓またはドアが開いたときに永久磁石からの磁力が変化することを検知してオンになる磁気的スイッチや、窓またはドアが開いたときに発光素子からの光が変化することを検知してオンになる光学的スイッチである。
【００２０】
図２は、第１の実施形態にかかるセキュリティ装置１００を示す構成図である。
このセキュリティ装置１００は、家屋の窓Ａ〜窓ＦおよびドアＧの内側にそれぞれセキュリティ用無線タグ１０ａ〜１０ｇを配置すると共に室内に受信機２０を設置した構成である。
【００２１】
図３は、受信機２０を示す構成図である。
この受信機２０は、受信用のアンテナ２Ａと、電波を受信する受信回路２Ｂと、警報音を発生する警報音発生回路２Ｅと、セキュリティ用無線タグ１０ａ〜１０ｇを配置した場所に対応してＬＥＤ３ａ〜３ｇを設けた警報場所表示器２Ｈと、識別子信号を受信したら警報音を発生するように警報音発生回路２Ｅを制御すると共に受信した識別子信号に対応するＬＥＤ３を点滅するように警報場所表示器２Ｈを制御するマイコン２Ｃと、警報音発生回路２Ｅへの給電を手動で停止するための警報音停止スイッチ２Ｄと、商用電源を直流電源に変換して受信回路２Ｂ，警報音発生回路２Ｅ，警報場所表示器２Ｈおよびマイコン２Ｃへ給電する電源回路２Ｇとを具備して構成されている。
【００２２】
また、マイコン２Ｃは、受信履歴を基に識別子情報を自動的に登録する。そして、登録されている識別子情報のうちで、例えば１週間の間、一度も識別子情報を受信しないものがあれば、当該識別子信号に対応するＬＥＤ３を点灯するように警報場所表示器２Ｈを制御する。
なお、管理者は、登録されている識別子情報を手動で削除できる。これは、セキュリティ用無線タグ１０の一部を取り外した場合に対応可能にするためである。
【００２３】
なお、警報場所表示器２Ｈの代わりに又はそれに加えて液晶表示パネルを設ければ、より高度の情報を表示できる。
【００２４】
第１の実施形態にかかるセキュリティ用無線タグ１０およびセキュリティ装置１００によれば、窓Ａ〜窓ＦまたはドアＧが開くまでの待機中のセキュリティ用無線タグ１０における消費電力が０または最少限で済むから、電池１Ｇを長期間使用できる。そして、窓Ａ〜窓ＦまたはドアＧが開いたときに警報音が鳴り、対応するＬＥＤ３が点滅するから、家屋の窓Ａ〜窓ＦまたはドアＧが開いたか否かを監視することが出来る。さらに、セキュリティ用無線タグ１０の電池切れ又は故障の可能性がある時は対応するＬＥＤ３が点灯するから、セキュリティ用無線タグ１０の電池切れ又は故障を迅速に発見できる。
【００２５】
−第２の実施形態−
図４は、第２の実施形態にかかるセキュリティ用無線タグ１０を示す構成図である。
このセキュリティ用無線タグ１０は、窓またはドアが開いたときにオンになる開閉連動スイッチ１Ｆと、送信用のアンテナ１Ａと、電波を発信する送信回路１Ｂと、警報音を発生する警報音発生回路１Ｅと、間欠的（数分に１回）に自己の識別子信号を無線で送信すると共に開閉連動スイッチ１Ｆがオンになった時に開情報信号および自己の識別子信号を断続的（数秒に１回）に送信するように送信回路１Ｂを制御すると共に警報音を発生するように警報音発生回路１Ｅを制御するマイコン１Ｃと、送信回路１Ｂおよびマイコン１Ｃへ給電する電池１Ｇと、開閉連動スイッチ１Ｆを介して電池１Ｇから警報音発生回路１Ｅへ給電すると共に手動で給電を停止するための警報音停止スイッチ１Ｄとを具備して構成されている。
【００２６】
第２の実施形態にかかるセキュリティ装置１００は図２と同様であり、受信機２０は図３と同様である。
ただし、受信機２０のマイコン２Ｃは、登録されている識別子信号のうちで、所定期間（例えば３０分間）、一度も識別子情報を受信しないものがあれば、当該識別子信号に対応するＬＥＤ３を点灯するように警報場所表示器２Ｈを制御する。
【００２７】
第２の実施形態にかかるセキュリティ用無線タグ１０およびセキュリティ装置１００によれば、窓Ａ〜窓ＦまたはドアＧが開いたときに警報音が鳴り、対応するＬＥＤ３が点滅するから、家屋の窓Ａ〜窓ＦまたはドアＧが開いたか否かを監視することが出来る。さらに、セキュリティ用無線タグ１０の電池切れ又は故障の可能性がある時は対応するＬＥＤ３が点灯するから、セキュリティ用無線タグ１０の電池切れ又は故障を迅速に発見できる。
【００２８】
【発明の効果】
本発明のセキュリティ用無線タグおよびセキュリティ装置によれば、セキュリティ用無線タグの待機電力が０または最少限で家屋の窓またはドアを監視できると共に、セキュリティ用無線タグの電池切れ又は故障を迅速に検出できる。
【図面の簡単な説明】
【図１】第１の実施形態にかかるセキュリティ用無線タグを示す構成図である。
【図２】第１の実施形態にかかるセキュリティ装置を示す構成図である。
【図３】第１の実施形態にかかる受信機を示す構成図である。
【図４】第２の実施形態にかかるセキュリティ用無線タグを示す構成図である。
【符号の説明】
１Ｂ                      送信回路
１Ｃ                      マイコン
１Ｄ                      警報音停止スイッチ
１Ｅ                      警報音発生回路
１Ｆ                      開閉連動スイッチ
１Ｇ                      電池
２Ｂ                      受信回路
２Ｃ                      マイコン
２Ｄ                      警報音停止スイッチ
２Ｅ                      警報音発生回路
２Ｇ                      電源回路
２Ｈ                      警報場所表示器
３，３ａ〜３ｇ            ＬＥＤ
１０，１０ａ〜１０ｇ      セキュリティ用無線タグ
２０                      受信機
１００                    セキュリティ装置
【図１】
2004252790.tif 000003
【図２】
2004252790.tif 000004
【図３】
2004252790.tif 000005
【図４】
2004252790.tif 000006